(57)【特許請求の範囲】
【請求項１】
チューナを内蔵するチューナ装置において、
前記チューナの受信する全帯域の受信スキャンを行って前記チューナの出力する受信状態を示す信号であるＳカーブ特性の自動周波数調整信号を基に正常受信できる局が存在するか否かを判定する受信判定手段と、
前記受信判定手段で正常受信できる局が存在しないと判定されたとき、前記チューナの電源を遮断する電源遮断手段と
を有することを特徴とするチューナ装置。
【請求項２】
請求項１記載のチューナ装置において、
アンテナの接続有無を検知するアンテナ接続検知手段を有し、
前記アンテナ接続検知手段でアンテナ接続がなされてないと検知されたとき、前記電源遮断手段で前記チューナの電源を遮断することを特徴とするチューナ装置。
【請求項３】
請求項１又は２記載のいずれかのチューナ装置において、
前記チューナ装置は、バッテリから電源を供給されることを特徴とするチューナ装置。
【請求項４】
請求項１乃至３記載のいずれかのチューナ装置において、
前記チューナ装置は、ノート型パーソナルコンピュータであることを特徴とするチューナ装置。
【請求項５】
請求項２記載のチューナ装置において、
前記アンテナ接続検知手段は、前記アンテナのジャックのコネクタ装着を検出して前記アンテナの接続を検知することを特徴とするチューナ装置。
【発明の詳細な説明】
【０００１】
【発明の属する技術分野】
本発明は、チューナ装置に関し、特に、チューナを内蔵する液晶テレビやノート型パーソナルコンピュータ等のチューナ装置に関する。
近年、液晶テレビ等のバッテリ電源で駆動されるテレビジョン受像機や、テレビジョンチューナを内蔵して液晶ディスプレイにテレビジョン画像を表示するバッテリ電源で駆動されるノート型パーソナルコンピュータが開発されている。これらはバッテリ電源で駆動され駆動時間が限られてしまうため、不必要な回路の消費電力を減らし、装置全体の駆動時間を延ばすことが要求されている。
【０００２】
【従来の技術】
従来より、テレビジョンチューナを内蔵する装置で消費電力を低減するものとして、例えば特開昭６１−２７３０７４号公報、または、特開平５−２３６３９４号公報に記載された装置がある。
特開昭６１−２７３０７４号公報には、テレビジョン放送を受信するテレビジョンチューナ部と、映像信号の記録再生を行うＶＴＲ部と、映像を表示するテレビモニタ部と、主スイッチを介して各部に電源を供給する電源部と、ＶＴＲ部の再生モード時にテレビジョンチューナ部への電源の供給を停止させる副スイッチとを有して無駄な電力消費を防止するテレビ付磁気録画再生装置が記載されている。
【０００３】
また、特開平５−２３６３９４号公報には、外部からの映像信号を入力する外部入力端子と、チューナ回路と、この外部入力端子とチューナ回路からの映像信号を切り換える入力切換回路と、映像処理回路と、映像信号を表示する受像官を備えたテレビジョン受像機において、入力映像信号の有無を検知する映像有無検知回路と、映像無を検知したとき受像機本体の電源回路をオフするコントロール回路を具備して電源の切り忘れを防止するテレビジョン受像機が記載されている。
【０００４】
【発明が解決しようとする課題】
しかし、特開昭６１−２７３０７４号公報に記載のテレビ付磁気録画再生装置は、ＶＴＲ部の再生モード以外のモードでは、テレビジョンチューナ部にアンテナが接続されていない状態や、アンテナが接続されていても受信感度が微弱な状態であってもテレビジョンチューナ部へ電源が供給され、見ることができないにも拘わらず意味の無い映像が表示されテレビジョンチューナ部で無駄な電力消費が行われるという問題があった。
【０００５】
また、特開平５−２３６３９４号公報に記載のテレビジョン受像機は、映像無を検知したとき受像機本体の電源回路をオフするため、チューナ回路にアンテナが接続されていない状態や、アンテナが接続されていても受信感度が微弱な状態では、多少の映像信号成分があるために映像有無検知回路で映像無と検知されず、受像機本体の電源回路がオフされず、無駄な電力消費が行われるという問題があった。
【０００６】
本発明は、上記の点に鑑みなされたもので、チューナ回路にアンテナが接続されていない状態や、アンテナが接続されていても受信感度が微弱な状態ではテレビジョンチューナの電源を遮断して消費電力を減らし、装置全体の駆動時間を延ばすことができるチューナ装置を提供することを目的とする。
【０００７】
【課題を解決するための手段】
請求項１に記載の発明は、チューナを内蔵するチューナ装置において、
前記チューナの受信する全帯域の受信スキャンを行って前記チューナの出力する受信状態を示す信号であるＳカーブ特性の自動周波数調整信号を基に正常受信できる局が存在するか否かを判定する受信判定手段と、
前記受信判定手段で正常受信できる局が存在しないと判定されたとき、前記チューナの電源を遮断する電源遮断手段とを有する。
【０００８】
このように、チューナの出力する受信状態を示す信号から正常受信か否かを判定し、正常受信がなされてないと判定されたとき、チューナの電源を遮断するため、意味の無い映像が表示されることがなく、無駄な電力消費を防止できる。
【０００９】
請求項２に記載の発明は、請求項１記載のチューナ装置において、
アンテナの接続有無を検知するアンテナ接続検知手段を有し、
前記アンテナ接続検知手段でアンテナ接続がなされてないと検知されたとき、前記電源遮断手段で前記チューナの電源を遮断する。
【００１０】
このように、チューナの出力する受信状態を示す信号から正常受信か否かを判定すると共に、アンテナの接続有無を検知して、正常受信がなされてないと判定されたとき、または、アンテナの接続がなされてないと検知されたとき、チューナの電源を遮断するため、意味の無い映像が表示されることがなく、無駄な電力消費を防止できる。
【００１１】
請求項３に記載の発明は、請求項１又は２記載のいずれかのチューナ装置において、
前記チューナ装置は、バッテリから電源を供給される。
このように、正常受信がなされてないと判定されたとき、または、アンテナの接続がなされてないと検知されたとき、チューナの電源を遮断するため、意味の無い映像が表示されることがなく、無駄な電力消費を防止でき、バッテリ寿命を延ばすことができる。
【００１２】
請求項４に記載の発明は、請求項１乃至３記載のいずれかのチューナ装置において、
前記チューナ装置は、ノート型パーソナルコンピュータである。
これにより、ノート型パーソナルコンピュータでの無駄な電力消費を防止でき、バッテリ寿命を延ばすことができる。
【００１４】
請求項５に記載の発明は、請求項２記載のチューナ装置において、
前記アンテナ接続検知手段は、前記アンテナのジャックのコネクタ装着を検出して前記アンテナの接続を検知する。
これにより、アンテナの接続有無を検知できる。
【００１５】
【発明の実施の形態】
図１は本発明のチューナ装置としてのノート型パーソナルコンピュータの一実施例のブロック図、図２はアンテナ１０とノート型パーソナルコンピュータ２０との接続を示す外観斜視図を示す。このノート型パーソナルコンピュータ２０はバッテリの電源で駆動される。図２において、テレビジョン用のアンテナ１０はアンテナケーブル１２のジャック１４をノート型パーソナルコンピュータ２０のコネクタ２２に装着／離脱自在とされており、ジャック１４をコネクタ２２に装着させて使用される。
【００１６】
図１に示すようにコネクタ２２に設けられたリード端子２４は、ジャック１４がコネクタ２２から離脱された状態でコネクタ２２の接地端子２３から遮断されている。リード端子２４は抵抗Ｒ１を介して電源Ｖｃｃに接続されると共にテレビジョンコントローラ２６に接続されており、ジャック１４がコネクタ２２から離脱された状態ではテレビジョンコントローラ２６にハイレベルのアンテナ接続検知信号が供給される。
【００１７】
一方、ジャック１４がコネクタ２２に装着された状態では、リード端子２４がジャック１４によって接地端子２３に接続され、テレビジョンコントローラ２６にローレベルのアンテナ接続検知信号が供給される。この状態で、アンテナ１０で受信された受信信号はチューナ２８に供給される。
チューナ２８は電源Ｖｃｃを電源スイッチ３０を介して供給されており、チューナ２８で受信信号から復調された映像信号及び音声信号はＡ／Ｄコンバータ３２に供給される。チューナ２８はＳカーブ特性のＡＦＴ（自動周波数調整）信号をテレビジョンコントローラ２６に供給する。
【００１８】
ここで、Ｓカーブ特性について説明するに、チューナ２８の局部発振周波数はＰＬＬ回路により決められた周波数に設定されるが、受信状態や放送局によっては送信周波数がずれている場合があり、このため、正常受信を行うためには受信周波数に合わせて局部発振周波数を変更する必要がある。ＡＦＴはこの局部発振周波数を制御するループであり、アンテナ受信信号と局部発振周波数の差が一致していると電圧Ｖｃｃ／２となり、局部発振周波数が高いと電圧Ｖｃｃ／２から低くなり、局部発振周波数が低いと電圧Ｖｃｃ／２から高くなるＡＦＴ信号を出力する。このため、同調選局時にはＡＦＴ信号は図３に示すようなＳカーブ特性となる。
【００１９】
テレビジョンコントローラ２６は後述のＣＰＵ（中央処理装置）４０からの指示に基づいて、チューナ２８に対してチャンネル選択をするための周波数設定を行う。また、コネクタ２２のリード端子２４から供給されるアンテナ接続検知信号及びチューナ２８から供給されるＡＦＴ信号に応じて電源スイッチ３０の切り替え制御を行う。
【００２０】
ＣＰＵ４０はバスライン４２に接続され、バスライン４２にはＲＯＭ４４，ＲＡＭ４６，キーボード及びポインティングディバイス等の入力装置４８，モデム５０，ハードディスク装置（ＨＤＤ）５２，フレキシブルディスク装置（ＦＤＤ）５４，映像処理回路５６，音声処理回路５８等が相互に接続されており、ＣＰＵ４０の実行するプログラムによってバスライン４２に接続されたこれらの各回路及び装置の動作が制御される。
【００２１】
Ａ／Ｄコンバータ３２でデジタル化された映像信号は映像処理回路５６に供給され、液晶ディスプレイ６０に映像が表示される。また、Ａ／Ｄコンバータ３２でデジタル化された音声信号は音声処理回路５８に供給され、スピーカ６２から発音される。
図４はチューナ２８の一実施例のブロック図を示す。同図中、端子７０にはアンテナ１０で受信した受信信号（アンテナ装着時）が供給される。この信号は周波数分離回路でＶＨＦ周波数帯の信号とＵＨＦ周波数帯の信号とに分離され、ＶＨＦ周波数帯の信号はＶＨＦブロック７４の同調回路７７に供給され、ＵＨＦ周波数帯の信号はＵＨＦブロック７６の同調回路８７に供給される。
【００２２】
ＶＨＦブロック７４の同調回路７７はＶＨＦ選局時に同調電圧発生回路１０２から供給される同調電圧に応じた周波数のＶＨＦ周波数帯の信号を同調選択して増幅回路７８に供給し、ここで増幅された信号が混合回路８１に供給される。発振回路８０はＰＬＬ回路１０６から供給される周波数信号に基づいた周波数の局部発振信号を生成して混合回路８１に供給し、混合回路８１は同調回路７９からの信号と局部発振信号とを混合して中間周波（ＩＦ）信号を生成する。この中間周波信号はＩＦ同調回路８４に供給される。
【００２３】
ＵＨＦブロック７６の同調回路８７はＵＨＦ選局時に同調電圧発生回路１０２から供給される同調電圧に応じた周波数のＵＨＦ周波数帯の信号を同調選択して増幅回路８８に供給し、ここで増幅された信号が混合回路９１に供給される。発振回路９０はＰＬＬ回路１０６から供給される周波数信号に基づいた周波数の局部発振信号を生成して混合回路９１に供給し、混合回路９１は同調回路８９からの信号と局部発振信号とを混合して中間周波（ＩＦ）信号を生成する。この中間周波信号はＩＦ同調回路８４に供給される。
【００２４】
ＩＦ同調回路８４は混合回路８１または９１から供給される中間周波信号を同調選択して増幅回路９２に供給し、ここで増幅された中間周波信号はフィルタ回路９４で不要周波数成分を除去されて復調回路９６に供給される。復調回路９６は中間周波信号から映像信号及び音声信号を復調して、映像信号を端子９８から出力し、音声信号を端子９９から出力する。また、復調回路９６で得られたＲＦＡＧＣ（高周波自動利得制御）信号が増幅回路７８，８８に供給されてこれらの利得制御が行われ、ＩＦＡＧＣ（中間周波自動利得制御）信号が増幅回路９２に供給されてその利得制御が行われる。また、ＡＦＴ信号は端子端子１００から出力される。
【００２５】
ところで、同調電圧発生回路１０２はテレビジョンコントローラ２６から端子１０４を通してチャンネル選択をするための周波数設定信号を供給されており、周波数設定信号に応じた同調電圧を発生して同調回路７８，８８及びＰＬＬ回路１０６に供給する。ＰＬＬ回路１０６には周波数設定用のデータＳＤＡ及びクロックＳＣＬが供給されており、ＰＬＬ回路１０６はこのデータＳＤＡ及びクロックＳＣＬ及び同調電圧に基づいた周波数信号を生成し、この周波数信号及びその分周信号を発振回路８０，９０及び復調回路９６等に供給している。また、電源回路１１０はテレビジョンコントローラ２６の制御の基にチューナ２８の各部に電源を供給する。
【００２６】
テレビジョンコントローラ２６はワンチップのマイクロプロセッサで構成されている。図５はテレビジョンコントローラ２６が実行する制御処理の一実施例のフローチャートを示す。テレビジョンコントローラ２６は電源オンによってこの処理を開始する。同図中、ステップＳ１０ではコネクタ２２のリード端子２４から供給されるアンテナ接続検知信号がハイレベルか否かによって、アンテナ１０のジャック１４がコネクタ２２に装着されアンテナ１０が接続されているかどうかを判別する。
【００２７】
ここで、アンテナ１０のジャック１４がコネクタ２２に装着されずアンテナ１０が接続されていない場合にはステップＳ１２に進み、チューナ２８に制御信号を供給してチューナ２８の電源回路１１０をオフさせる。そして、ステップＳ１０に進みアンテナ１０が接続されるまでステップＳ１０，Ｓ１２を繰り返す。一方、アンテナ１０のジャック１４がコネクタ２２に装着されアンテナ１０が接続されている場合にはステップＳ１４に進み、ＶＨＦ及びＵＨＦ全帯域の受信スキャンを行って、どのチャネルが受信可能かをモニタリングする。
【００２８】
この後、ステップＳ１６でチューナ２８から供給されるＡＦＴ信号のレベルから、ＡＦＴ信号が図３に示すようなＳカーブ特性で電圧Ｖｃｃ／２となり、いずれかの局を正常に受信できたかどうかを判別する。ステップＳ１６でいずれかの局を正常に受信できた場合にはステップＳ１８に進んで通常の受信処理ルーチンを実行する。
【００２９】
一方、ステップＳ１６でいずれの局も正常に受信できなかった場合にはステップＳ２０に進んで、チューナ２８に制御信号を供給してチューナ２８の電源回路１１０をオフさせる。そして、ステップＳ２２に進み４０からの応答待ち状態となる。
このように、アンテナ１０が接続されてない場合、及びいずれの局も正常に受信できなかった場合には、チューナ２８の電源回路１１０をオフすることにより消費電力を減らし、ノート型パーソナルコンピュータ全体の駆動時間を延ばすことができる。
【００３０】
上記のステップＳ１６が受信判定手段に対応し、電源スイッチ３０及びステップＳ１２，Ｓ２０が電源遮断手段に対応しており、コネクタ２２の接地端子２３及びリード端子２４及びステップＳ１４，Ｓ１６がアンテナ接続検知手段に対応している。
なお、アンテナが接続されていなければ、一般的にいずれの局も正常に受信できないため、アンテナの接続なしをステップＳ１６で判定することもできるので、簡易的にはステップＳ１０，Ｓ１２を削除し、リード端子２４を削除することも可能である。
【００３１】
なお、上記実施例ではノート型パーソナルコンピュータを例として説明したが、液晶テレビ等のバッテリ電源で駆動される装置に適用しても良い。また、チューナとしては、テレビジョンチューナに限らず、ラジオチューナであっても良く、上記実施例に限定されない。
【００３２】
【発明の効果】
上述の如く、請求項１に記載の発明は、チューナの受信する全帯域の受信スキャンを行ってチューナの出力する受信状態を示す信号であるＳカーブ特性の自動周波数調整信号を基に正常受信できる局が存在するか否かを判定する受信判定手段と、
前記受信判定手段で正常受信できる局が存在しないと判定されたとき、前記チューナの電源を遮断する電源遮断手段とを有する。
【００３３】
このように、チューナの出力する受信状態を示す信号から正常受信か否かを判定し、正常受信がなされてないと判定されたとき、チューナの電源を遮断するため、意味の無い映像が表示されることがなく、無駄な電力消費を防止できる。
【００３４】
また、請求項２に記載の発明は、アンテナの接続有無を検知するアンテナ接続検知手段を有し、
前記アンテナ接続検知手段でアンテナ接続がなされてないと検知されたとき、前記電源遮断手段で前記チューナの電源を遮断する。
【００３５】
このように、チューナの出力する受信状態を示す信号から正常受信か否かを判定すると共に、アンテナの接続有無を検知して、正常受信がなされてないと判定されたとき、または、アンテナの接続がなされてないと検知されたとき、チューナの電源を遮断するため、意味の無い映像が表示されることがなく、無駄な電力消費を防止できる。
【００３６】
また、請求項３に記載の発明では、チューナ装置は、バッテリから電源を供給される。
このように、正常受信がなされてないと判定されたとき、または、アンテナの接続がなされてないと検知されたとき、チューナの電源を遮断するため、意味の無い映像が表示されることがなく、無駄な電力消費を防止でき、バッテリ寿命を延ばすことができる。
【００３７】
また、請求項４に記載の発明では、チューナ装置は、ノート型パーソナルコンピュータである。
これにより、ノート型パーソナルコンピュータでの無駄な電力消費を防止でき、バッテリ寿命を延ばすことができる。
【００３８】
請求項５に記載の発明では、アンテナ接続検知手段は、前記アンテナのジャックのコネクタ装着を検出して前記アンテナの接続を検知する。これにより、アンテナの接続有無を検知できる。
【図面の簡単な説明】
【図１】本発明のチューナ装置を適用した拡張ステーションの一実施例の構成図である。
【図２】本発明のチューナ装置としてのノート型パーソナルコンピュータの一実施例のブロック図である。
【図３】Ｓカーブ特性を示す波形図である。
【図４】チューナ２８の一実施例のブロック図である。
【図５】テレビジョンコントローラ２６が実行する制御処理の一実施例のフローチャートである。
【符号の説明】
１０  アンテナ
１２  アンテナケーブル
１４  ジャック
２０  ノート型パーソナルコンピュータ
２２  コネクタ
２４  リード端子
２６  テレビジョンコントローラ
２８  チューナ
３０  電源スイッチ
３２  Ａ／Ｄコンバータ
４０  ＣＰＵ
４２  バスライン
４４  ＲＯＭ
４６  ＲＡＭ
４８  入力装置
５０  モデム
５２  ハードディスク装置（ＨＤＤ）
５４  フレキシブルディスク装置（ＦＤＤ）
５６  映像処理回路
５８  音声処理回路
６０  液晶ディスプレイ
６２  スピーカ
【図１】
0004219436.tif 000002
【図２】
0004219436.tif 000003
【図３】
0004219436.tif 000004
【図４】
0004219436.tif 000005
【図５】
0004219436.tif 000006